(57)【特許請求の範囲】
【請求項１】
所定薬液を含浸させたシートを積層した状態で包装体の内部に収容し、前記包装体に形成された開口部を介して前記シートが取り出されるように構成されたシート積層体であって、
前記シートは、第１方向に沿った第１折り目と、前記第１折り目を基点に折り畳まれた状態の前記シートに設けられかつ前記第１方向と直交する方向に沿う第２折り目と、を有し、前記第２折り目を基点に折り畳まれた状態では、前記第２折り目を境界とした一方の領域となる第１領域よりも前記開口部側に、前記第２折り目を境界とした他方の領域である第２領域が配置されており、
前記第２折り目を基点に折り畳まれた状態において、前記シートの前記第２領域の前記第１方向における長さは、前記シートの前記第１領域の前記第１方向における長さよりも短く、
前記シートは、第１シートと、前記第１シートよりも前記開口部側に位置する第２シートと、を備えており、
前記第１シートの前記第１方向における端部と、前記第２シートの前記第１方向における端部とは、前記第１方向においてずれて配置されており、
前記第２領域の前記第１方向における長さと前記第１領域の前記第１方向における長さとの差は、前記第１シートの前記第１方向における端部と前記第２シートの前記第１方向における端部との前記第１方向における距離よりも長い、シート積層体。
【請求項２】
前記第１方向において、前記シートの前記第１領域の長さと前記シートの前記第２領域の長さとの差は、５ｍｍ以上である、請求項１に記載のシート積層体。
【請求項３】
前記シートの破断強度は、２５ｍｍ幅当り４．９Ｎ以下である、請求項１又は請求項２に記載のシート積層体。
【請求項４】
前記シートに含浸された薬剤の重量は、前記シートの重量に対する２００％〜４００％である、請求項１から請求項３のいずれかに記載のシート積層体。
【発明の詳細な説明】
【技術分野】
【０００１】
本発明は、シート積層体に関し、特に、所定薬液を含浸させたシートを積層した状態で包装体に収容したシート積層体に関する。
【背景技術】
【０００２】
シート積層体は、所定薬液を含浸させたシートを積層した状態で包装体に収容し、包装体に形成された開口部を介してシートが取り出されるように構成されている。このようなシート積層体において、例えば、開口部に近い上層のシートを包装体から取り出す場合には、開口部から離れた下層のシートを取り出す場合と比較して、上層のシートと開口部との間における空間が狭いため、取り出す際の抵抗が大きくなり易い。この抵抗力に対抗してシートを引っ張ると、シートが破断するおそれがある。
【０００３】
このような問題に鑑みて、複数のシートが積層されたシート積層体において、上層のシートの幅を下層のシートの幅よりも狭くなるように折り畳んだシート積層体が提案されている（例えば、特許文献１参照）。
【先行技術文献】
【特許文献】
【０００４】
【特許文献１】特開２００２−１０２１０６号公報（図３等）
【発明の概要】
【発明が解決しようとする課題】
【０００５】
しかし、上述のシート積層体には、以下の問題点があった。
【０００６】
シートは、持ち運びを容易にするために、例えば、一方向に沿った第１折り目を基点に折り畳んだ後、一方向と直交する第２折り目を基点に半分に折り畳まれている。このように折り畳まれたシートは、積層された状態で包装体に収容されている。包装体は、一般的に変形し易い柔軟な材質によって構成されており、搬送時の外力等によって変形することがある。特に、シートの端面は、外力によって変形し易く、厚み方向において積層されたシートが共に変形することがある。
【０００７】
例えば、第２折り目を基点に折り畳まれた状態において、シートの対向する一対の両端面が変形すると、シートの両端面の移動が規制される。このようにシートの両端面の移動が規制されると、半分に折り畳まれた状態で上側に位置する部分を指等で摘んで引っ張った際に下側に位置する部分が追従して移動し難く、シートが破断するおそれがある。
【０００８】
本発明は、上述の課題に鑑みてなされたものであり、包装体から取り出す際におけるシートの破断を抑制することができるシート積層体を提供することを目的とする。
【課題を解決するための手段】
【０００９】
上述した課題を解決するため、本発明に係るシート積層体（シート積層体１）は、所定薬液を含浸させたシート（シート１０）を積層した状態で包装体（包装体２０）の内部に収容し、前記包装体に形成された開口部（開口部２１）を介して前記シートが取り出されるように構成されたシート積層体であって、前記シートは、第１方向（長手方向Ｌ）に沿った第１折り目（第１長手折り目〜第４長手折り目Ｆ１１〜Ｆ１４）を基点に折り畳まれた後、前記第１方向と直交する第２折り目（幅折り目Ｆ２１）を基点に折り畳まれ、前記第２折り目を基点に折り畳まれた状態では、前記第２折り目を境界とした一方の領域となる第１領域（第１領域４１）よりも前記開口部側に、前記第２折り目を境界とした他方の領域である第２領域（第２領域４２）が配置されており、前記第２折り目を基点に折り畳まれた状態において、前記シートの前記第２領域の前記第１方向における長さ（長さＬ４２）は、前記シートの前記第１領域の前記第１方向における長さ（長さＬ４１）よりも短いことを要旨とする。
【発明の効果】
【００１０】
本発明に係るシート積層体は、シートが折り畳まれた状態で開口部側（上側）に位置する第２領域の第１方向における長さが、第２領域よりも下側に位置する第１領域の第１方向における長さよりも短い。よって、第２方向に沿って折り畳まれた状態で、第２方向に沿ったシートの両端部のうち第２領域の端部をシートの外端部よりも内側に配置することができる。例えば、積層されたシートが包装体に収容された状態で、包装体の外側から変形して、シートの端部が厚み方向に変形した場合であっても、第２領域の第２方向に沿った端部を引き上げ易くなる。よって、第２領域を引っ張った際に第１領域を追従させて引っ張ることができ、シートの取り出し時における破断を抑制することができる。
【図面の簡単な説明】
【００１１】
【図１】実施形態に係るシート積層体の斜視図である。
【図２】図１に示すシート積層体の包装構造を示す説明図である。
【図３】図１に示すシート積層体において、シートが取り出される様子を示す模式断面図である。
【図４】変形例に係るシートの斜視図である。
【発明を実施するための形態】
【００１２】
図１乃至図３を参照して、本発明の実施形態に係るシート積層体について説明する。図１及び図２は、シート積層体の斜視図であり、図３は、シート積層体のシートを包装体から取り出す状態を示す図である。
【００１３】
シート積層体１は、所定薬液を含浸させたシート１０と、このシート１０を収容する包装体２０と、を有する。シート１０は、厚み方向に積層された第１シートから第５シート１０Ａ〜１０Ｅを有する。
【００１４】
包装体２０には、図１に示す上面２０ａに形成された開口部２１が形成されており、包装体２０の上面２０ａには、開口部２１を覆うラベル部材２２が付されている。ラベル部材２２の長手方向における一端部２２ａは、包装体の上面２０ａに接合され、他端部２２ｂは、包装体２０に対して着脱自在に構成されている。ラベル部材２２は、開口部２１の周囲に粘着材を介して接着されている。使用者は、他端部２２ｂの先端を指等で摘んで引っ張ることにより、開口部２１を開閉できる。
【００１５】
シート１０は、図１〜図３に示すように折り畳まれた状態で複数積層されて、包装体２０の内部に収容されている。シート１０は、シート積層体の長手方向に沿った第１長手折り目〜第４長手折り目（第１折り目）Ｆ１１〜Ｆ１４を基点に複数回折り畳まれた後、長手方向Ｌと直交する幅方向Ｗに沿った幅折り目（第２折り目）Ｆ２１を基点に折り畳まれる。
【００１６】
シート１０は、第１長手折り目Ｆ１１において領域３１Ａと領域３２Ａとが折り重ねられ、第２長手折り目Ｆ１２において領域３２Ａと領域３３Ａとが折り重ねられ、第３長手折り目Ｆ１３において領域３３Ａと領域３４Ａとが折り重ねられ、第４長手折り目Ｆ１４において領域３４Ａと領域３５Ａとが折り重ねられている。
【００１７】
シート１０は、幅折り目Ｆ２１を基点として、長手方向Ｌにおいて２つに折り畳まれる。シート１０は、幅折り目Ｆ２１を基点に折り畳まれた状態（図１に示す状態）では、幅折り目Ｆ２１が境界となって区画された第１領域４１と第２領域４２とを有する。第２領域４２は、第１領域４１よりも開口部２１側（図１に示す上側）に配置されている。換言すると、第１領域４１は、第２領域４２よりも開口部２１から離間する側（図１に示す下側）に配置されている。
【００１８】
幅折り目Ｆ２１において折り畳まれた状態で、第２領域４２の長手方向Ｌの長さＬ４２は、第１領域４１の長手方向Ｌの長さＬ４１よりも短い。このように、第１領域４１の長さＬ４１と第２領域４２の長さＬ４２が異なることにより、開口部２１を介してシート１０を取り出す際に、シートの破断を抑制することができる。
【００１９】
具体的には、図３に示すように、シート１０は、厚み方向において複数積層されて包装体２０に収容されている。包装体２０は、一般的に変形し易い柔軟な材質によって構成されており、搬送時の外力等によって変形することがある。特に、シートの端面は、外力によって変形し易く、図３（ａ）に示すように、厚み方向において積層されたシートの端面が共に変形することがある。
【００２０】
例えば、図３（ａ）に示すように、幅折り目Ｆ２１を基点に折り畳まれた状態において、シート１０の対向する一対の両端面が変形すると、シートの両端面が包装体の内面に当接して、シートの両端面の移動が規制される。このとき、例えば、第１領域と第２領域の長さが同じ長さであり、第１領域及び第２領域の両端面が厚み方向において共に変形していると、上側に位置する第２領域を指等で摘んで引っ張った場合であっても第１領域が追従して移動しないことがある。よって、第２領域を引っ張る際の抵抗が大きくなり、シートが破断してしまうおそれがある。
【００２１】
しかし、図３（ａ）に示すように、幅折り目Ｆ２１を基点に折り畳まれた状態で第２領域４２の長さＬ４２が第１領域４１の長さＬ４１よりも短い場合には、上層に位置する第２領域４２を指等で摘んで引っ張った際に、第２領域４２の少なくとも一端の移動は規制されないため、第２領域４２に追従して第１領域４１が移動し易くなる。よって、第２領域４２を引っ張った際に、シート全体を円滑に引き出すことができ、シート１０の破断を抑制することができる。
【００２２】
なお、長手方向Ｌにおける第１領域４１の長さＬ４１と第２領域４２の長さＬ４２の差Ｄ１（幅折り目Ｆ２１を基点に折り畳まれた状態におけるシート１０の長手方向における一方の端部１３と他方の端部１４との長手方向における距離）は、例えば、５ｍｍ以上とすることができる。
【００２３】
厚み方向Ｔにおいて重なるシート１０は、シート積層体を製造する過程や搬送する過程において、長手方向Ｌの位置がずれることがある。例えば、図３に示すシート１０Ｃの長手方向における端部１５Ｃと、シート１０Ｃよりも開口部側に位置するシート１０Ｂの長手方向における端部１５Ｂとは、長手方向Ｌにおいてずれて配置されている。シート同士の位置ずれの長さＤ２が、各シートの第１領域４１と第２領域４２の長さの差Ｄ１よりも大きい場合には、折り畳まれた状態において、シート１０の両端面が包装体２０に当接して、移動が規制されてしまうおそれがある。よって、長手方向Ｌにおける第１領域４１と第２領域４２の長さの差Ｄ１は、シート１０の位置ずれ長さＤ２よりも長いことが望ましい。なお、シート１０の位置ずれ長さは、製造方法等によって異なるが、一般的に５ｍｍ以下である。よって、長手方向Ｌにおける第１領域４１と第２領域４２の長さの差Ｄ１は、５ｍｍ以上とすることができる。
【００２４】
シートの含浸率は、２００％〜４００％であることが望ましい。シートに対する所定薬液の含浸率を増加させると、シート同士が所定薬液の水膜によって連結し、容器や積層体を包装する包装体から１枚ずつシートを取り出すことが困難になることがある。しかし、本実施の形態に係るシート積層体によれば、シート同士が水膜によって連結した場合であっても、第２領域を引っ張ることにより、シート全体を容易に取り出すことが可能となる。なお、含浸率は、含浸させる所定薬液の重量のシートの重量に対する比率であり、適宜、調整することが可能である。
【００２５】
また、シートの湿潤時の破断強度は、２５ｍｍ幅当り４．９Ｎ以下であることが望ましい。本実施の形態に係るシート積層体であれば、比較的破断強度の低いシート（２５ｍｍ幅当り４．９Ｎ以下のシート）であっても、破断を防止しつつ適宜引き出すことができる。
【００２６】
なお、破断強度は、幅２５ｍｍ長さ１５０ｍｍのシート片に、その重量の２．５倍の水分を含浸させ、テンシロン試験機によりチャック間距離１００ｍｍで保持し、チャック間に１００ｍｍ／ｍｉｎの速度を与えて引張り試験したときの破断時の引張り荷重である。
【００２７】
実施の形態に係るシート積層体によれば、使用者は、包装体２０の開口部２１から、第２領域４２を摘んで引っ張ることによって、第２領域４２と共に第１領域４１を引っ張り、シートの破断を抑制しつつ、シート全体を取り出すことができる。
【００２８】
次いで、図４に基づいて、変形例に係るシート積層体について説明する。図４は、変形例に係るシート積層体のシート１０を示している。シート１０は、実施の形態１に係るシートと折り畳み方法が異なる。
【００２９】
シート１０は、長手方向に沿った長手折り目Ｆ１１を基点にして２つに折り畳まれる。その後、幅方向Ｗに沿った第１幅折り目Ｆ２１を基点として折り畳まれた後、幅方向Ｗに沿った第２幅折り目Ｆ２２を基点として開口部２１側に折り畳まれる。すなわち、変形例に係るシートの幅折り目は、第１幅折り目Ｆ２１と第２幅折り目Ｆ２２とを有する。シートは、幅方向に沿った幅折り目を基点に３つに折り畳まれる。
【００３０】
変形例に係るシート１０は、第１幅折り目Ｆ２１を境界とした第１領域４１と第２領域４２とを備えている。第２領域４２は、第２幅折り目Ｆ２２を基点として折り畳まれた状態においては、第２幅折り目Ｆ２２を基点に半分に折り畳まれている。第２幅折り目Ｆ２２を基点として折り畳まれた状態において、第２領域４２の長手方向における長さＬ４２は、第１領域４１の長手方向の長さＬ４１よりも短い。
【００３１】
変形例に係るシートによれば、最も上側（開口部側）に位置する領域が、下側に位置する領域よりも短いため、最も上側に位置する領域を指等で摘んで引っ張った際に、他の領域を追従して移動させ易くなる。よって、シートを包装体から取り出す際におけるシートの抵抗を比較的低くして、シートの破断を抑制することができる。
【実施例】
【００３２】
実施例に係るシート積層体と比較例に係るシート積層体とを用いて、包装体からシートを取り出した際のシートの破断状態を試験して、折り畳み態様による破断抑制効果について評価した。なお、本発明はこれらにより限定されるものではない。
【００３３】
＜実施例１＞
（試験方法）
１０人のモニターによって、実施例に係るシート積層体及び比較例に係るシート積層体からそれぞれシートを取り出し、取り出した際にシートが破断するか否かを試験した。なお、実施例に係るシート積層体と比較例に係るシート積層体とは、幅折り目を基点に折り畳んだ状態における長手方向の長さが異なるが、それ以外の構成は同じである。
【００３４】
（試験条件）
包装体の寸法：１５０ｍｍ×１００ｍｍ×２０ｍｍ
開口部の寸法：４０ｍｍ×１８ｍｍ
シートの材質：水解性
シート積層数：１２枚
薬剤の含浸率：３００％
実施例に係るシートの第１領域と第２領域の長さの差：１０ｍｍ
比較例に係るシートの第１領域と第２領域の長さの差：０ｍｍ
（評価結果）
評価結果を表１に示す。
【００３５】
【表１】
0005926004.tif 000002
【００３６】
比較例に係るシート積層体は、取り出し時におけるシートの破断が発生しており、特に、１枚目や２枚目等、開口部側に位置するシートを取り出す際に破断が生じている。これは、開口部側に位置するシートは、開口部との距離が短く、開口部との間に設けられた空間が少ないことが要因と考えられる。具体的には、シートの第２領域を引っ張った際に、第２領域と包装体の上面との空間が小さく、第１領域が上面側に移動するスペースが少ない。よって、第２領域は、第１領域の表面に沿って移動し、シートに対する抵抗力が高くなる。抵抗力に対向して使用者が引っ張ると、シートが破断すると考えられる。
【００３７】
一方、シートを折り畳んだ状態で、上方に位置する第２領域の長手方向の長さを、第１領域の長手方向の長さよりも短くすることにより、取り出し時におけるシートの破断を効果的に抑制できることがわかった。
【００３８】
＜実施例２＞
（試験方法）
開口部の異なる１０種類の包装体のそれぞれに、実施例に係るシートと比較例に係るシートとをそれぞれ１２枚積層した状態で包装体に収容した。包装体の開口部を介してシートを１枚ずつ計１２枚取り出し、包装体から取り出す際に破断したシートをカウントした。１２枚のシートの全てにおいて破断が生じなかった場合には、「○」と判定し、１枚破断した場合には、「△」と判定し、２枚以上破断した場合には、「×」と判定した。
【００３９】
（試験条件）
包装体の開口部は、開口部の幅方向の長さを１８ｍｍとして、開口部の長手方向の長さを１０〜１００ｍｍまで１０ｍｍ間隔で設定した。
【００４０】
包装体の寸法：１５０ｍｍ×１００ｍｍ×２０ｍｍ
シートの材質：水解性
シート積層数：１２枚
薬剤の含浸率：３００％
実施例に係るシートの第１領域と第２領域の長さの差：１０ｍｍ
比較例に係るシートの第１領域と第２領域の長さの差：０ｍｍ
（評価結果）
評価結果を表２に示す。
【００４１】
【表２】
0005926004.tif 000003
【００４２】
比較例に係るシート積層体は、開口部の長さが７０ｍｍ以上の場合には、破断が生じないが、６０ｍｍ以下の場合には、破断が生じることがわかった。開口部の長さが短くなると、開口面積が小さくなり、開口部を通過する際のシートの抵抗力が高くなるためと考えられる。
【００４３】
一方、実施例２においても、シートを折り畳んだ状態で、上方に位置する第２領域の長手方向の長さを、第１領域よりも短くすることにより、取り出し時におけるシートの破断を効果的に抑制できることがわかった。
【００４４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００４５】
Ｆ１１〜Ｆ１４…第１長手折り目〜第４長手折り目、  Ｆ２１、Ｆ２２…幅折り目、  Ｌ…長手方向、  Ｗ…幅方向、  １…シート積層体、  １０、１０Ａ〜１０Ｅ…シート、  ２０…包装体、  ２０ａ…上面、  ２１…開口部、  ２２…ラベル部材、  ２２ａ…一端部、  ２２ｂ…他端部、  ３１Ａ、３２Ａ、３３Ａ、３４Ａ、３５Ａ…領域、  ４１…第１領域、  ４２…第２領域
【図１】
0005926004.tif 000004
【図２】
0005926004.tif 000005
【図３】
0005926004.tif 000006
【図４】
0005926004.tif 000007